【手続補正書】
【提出日】平成24年1月10日(2012.1.10)
【手続補正１】
【補正対象書類名】特許請求の範囲
【補正対象項目名】全文
【補正方法】変更
【補正の内容】
【特許請求の範囲】
【請求項１】
所定の撮影領域における被写体である利用者を撮影する撮像手段と、
前記撮像手段により得られる撮影画像を表示する表示領域を含む表示手段を有し、前記撮影画像の編集に関する操作であって前記利用者によって入力される編集操作を受付け、当該編集操作に基づいて合成画像を生成する画像編集手段と、
前記画像編集手段により生成された前記合成画像を出力する出力手段と
を備え、
前記編集操作には、文字、図形、又は記号のうちの少なくともいずれか１つを含みひとまとまりの画像データを構成する描画オブジェクトを描く操作である描画操作が含まれ、
前記画像編集手段は、前記描画オブジェクトが前記表示領域からはみ出すように前記描画操作が行われた場合に、当該描画オブジェクトのうち前記表示領域からはみ出している部分が前記表示領域に表示可能となるように当該描画オブジェクトの少なくとも一部を移動もしくは変形させることによって得られる画像を前記表示領域に表示する機能を有する画像移動変形手段を備えることを特徴とする、写真撮影遊戯装置。
【請求項２】
前記画像編集手段は、所定の描画操作が行われた場合に該所定の描画操作に係る前記描画オブジェクトの全てが前記表示領域に表示可能であるか否かを確認する適合確認手段を更に備え、
前記画像移動変形手段は、前記適合確認手段による確認結果に基づいて、前記描画オブジェクトの少なくとも一部を移動もしくは変形させることによって得られる画像を前記表示領域に表示することを特徴とする、請求項１に記載の写真撮影遊戯装置。
【請求項３】
前記画像編集手段は、前記表示領域に関する前記描画操作を受け付ける第１入力領域と、該第１入力領域に隣接して設けられ、前記表示領域に隣接する所定の領域に関する前記描画操作を受け付ける第２入力領域とを有する描画部を更に備え、
前記画像移動変形手段は、前記第２入力領域が前記描画操作を受け付けた場合に、該描画操作に係る前記描画オブジェクトの少なくとも一部を移動もしくは変形させることによって得られる画像を前記表示領域に表示することを特徴とする、請求項２に記載の写真撮影遊戯装置。
【請求項４】
前記画像移動変形手段によって移動もしくは変形させられるべき画像を移動変形対象画像として特定する移動変形対象画像特定手段と、
前記移動変形対象画像を前記利用者に指定させるための移動変形対象画像指定手段と
を更に備え、
前記移動変形対象画像指定手段は、前記利用者が前記描画部において領域を指定することが可能なように構成され、
前記移動変形対象画像特定手段は、前記移動変形対象画像指定手段によって指定された領域に含まれる画像を前記移動変形対象画像として特定することを特徴とする、請求項３に記載の写真撮影遊戯装置。
【請求項５】
前記移動変形対象画像特定手段は、前記描画オブジェクトの少なくとも一部の画像が前記第２入力領域に含まれているときに、当該描画オブジェクトの全部の画像を前記移動変形対象画像として特定することを特徴とする、請求項４に記載の写真撮影遊戯装置。
【請求項６】
前記画像移動変形手段は、前記移動変形対象画像を前記描画部において所定の距離だけ左方向もしくは右方向に移動させる画像移動手段を含むことを特徴とする、請求項４または５に記載の写真撮影遊戯装置。
【請求項７】
前記画像移動変形手段は、前記移動変形対象画像を前記描画部において所定の割合だけ縮小させる画像縮小手段を含むことを特徴とする、請求項４から６までのいずれか１項に記載の写真撮影遊戯装置。
【請求項８】
前記画像移動変形手段は、前記移動変形対象画像の全部が前記第１入力領域に含まれるように、所定の規則に基づいて前記移動変形対象画像を移動もしくは変形させることを特徴とする、請求項４から７までのいずれか１項に記載の写真撮影遊戯装置。
【請求項９】
前記第２入力領域は、前記第１入力領域の右側にのみ設けられていることを特徴とする、請求項３から８までのいずれか１項に記載の写真撮影遊戯装置。
【請求項１０】
前記第２入力領域の表示／非表示の切替を行う第２入力領域表示切替手段を更に備えることを特徴とする、請求項３から９までのいずれか１項に記載の写真撮影遊戯装置。
【請求項１１】
所定の撮影領域における被写体である利用者を撮影する撮像ステップと、
前記撮像ステップで得られる撮影画像を所定の表示領域に表示する表示ステップと、
前記撮影画像の編集に関する操作であって前記利用者によって入力される編集操作を受付け、当該編集操作に基づいて合成画像を生成する画像編集ステップと、
前記画像編集ステップで生成された前記合成画像を出力する出力ステップと
を備え、
前記編集操作には、文字、図形、又は記号のうちの少なくともいずれか１つを含みひとまとまりの画像データを構成する描画オブジェクトを描く操作である描画操作が含まれ、
前記画像編集ステップには、前記描画オブジェクトが前記表示領域からはみ出すように前記描画操作が行われた場合に、当該描画オブジェクトのうち前記表示領域からはみ出している部分が前記表示領域に表示可能となるように当該描画オブジェクトの少なくとも一部を移動もしくは変形させることによって得られる画像を前記表示領域に表示する画像移動変形ステップが含まれていることを特徴とする、写真撮影遊戯方法。
【手続補正２】
【補正対象書類名】明細書
【補正対象項目名】発明の名称
【補正方法】変更
【補正の内容】
【発明の名称】写真撮影遊戯装置および写真撮影遊戯方法
【手続補正３】
【補正対象書類名】明細書
【補正対象項目名】０００１
【補正方法】変更
【補正の内容】
【０００１】
本発明は、利用者をカメラで撮影し、その撮影画像に基づき生成される合成画像を写真等として出力する写真撮影遊戯装置に関する。
【手続補正４】
【補正対象書類名】明細書
【補正対象項目名】０００４
【補正方法】変更
【補正の内容】
【０００４】
文書作成装置においては文字や図形等を修正するための様々な機能が設けられており、例えば特開平７−１１４５５９号公報には、センタリングや右寄せなど文字の移動を利用者が容易に行うことのできる文書作成装置の発明が開示されている。また、特開２００７−６７５６５号公報や特開２００４−１１２３３５号公報には、描画操作を受け付ける画面を有する写真作成装置についての発明が開示されている。
【特許文献１】特開平７−１１４５５９号公報
【特許文献２】特開２００７−６７５６５号公報
【特許文献３】特開２００４−１１２３３５号公報
【手続補正５】
【補正対象書類名】明細書
【補正対象項目名】０００６
【補正方法】変更
【補正の内容】
【０００６】
そこで、本発明は、落書きの際に文字・図形等の修正のために無駄な時間を利用者に使わせないようにすることのできる写真撮影遊戯装置を提供することを目的とする。
【手続補正６】
【補正対象書類名】明細書
【補正対象項目名】０００７
【補正方法】変更
【補正の内容】
【０００７】
第１の発明は、写真撮影遊戯装置であって、
所定の撮影領域における被写体である利用者を撮影する撮像手段と、
前記撮像手段により得られる撮影画像を表示する表示領域を含む表示手段を有し、前記撮影画像の編集に関する操作であって前記利用者によって入力される編集操作を受付け、当該編集操作に基づいて合成画像を生成する画像編集手段と、
前記画像編集手段により生成された前記合成画像を出力する出力手段と
を備え、
前記編集操作には、文字、図形、又は記号のうちの少なくともいずれか１つを含みひとまとまりの画像データを構成する描画オブジェクトを描く操作である描画操作が含まれ、
前記画像編集手段は、前記描画オブジェクトが前記表示領域からはみ出すように前記描画操作が行われた場合に、当該描画オブジェクトのうち前記表示領域からはみ出している部分が前記表示領域に表示可能となるように当該描画オブジェクトの少なくとも一部を移動もしくは変形させることによって得られる画像を前記表示領域に表示する機能を有する画像移動変形手段を備えることを特徴とする。
【手続補正７】
【補正対象書類名】明細書
【補正対象項目名】０００８
【補正方法】変更
【補正の内容】
【０００８】
第２の発明は、第１の発明において、
前記画像編集手段は、所定の描画操作が行われた場合に該所定の描画操作に係る前記描画オブジェクトの全てが前記表示領域に表示可能であるか否かを確認する適合確認手段を更に備え、
前記画像移動変形手段は、前記適合確認手段による確認結果に基づいて、前記描画オブジェクトの少なくとも一部を移動もしくは変形させることによって得られる画像を前記表示領域に表示することを特徴とする。
【手続補正８】
【補正対象書類名】明細書
【補正対象項目名】０００９
【補正方法】変更
【補正の内容】
【０００９】
第３の発明は、第２の発明において、、
前記画像編集手段は、前記表示領域に関する前記描画操作を受け付ける第１入力領域と、該第１入力領域に隣接して設けられ、前記表示領域に隣接する所定の領域に関する前記描画操作を受け付ける第２入力領域とを有する描画部を更に備え、
前記画像移動変形手段は、前記第２入力領域が前記描画操作を受け付けた場合に、該描画操作に係る前記描画オブジェクトの少なくとも一部を移動もしくは変形させることによって得られる画像を前記表示領域に表示することを特徴とする。
【手続補正９】
【補正対象書類名】明細書
【補正対象項目名】００１０
【補正方法】変更
【補正の内容】
【００１０】
第４の発明は、第３の発明において、、
前記画像移動変形手段によって移動もしくは変形させられるべき画像を移動変形対象画像として特定する移動変形対象画像特定手段と、
前記移動変形対象画像を前記利用者に指定させるための移動変形対象画像指定手段と
を更に備え、
前記移動変形対象画像指定手段は、前記利用者が前記描画部において領域を指定することが可能なように構成され、
前記移動変形対象画像特定手段は、前記移動変形対象画像指定手段によって指定された領域に含まれる画像を前記移動変形対象画像として特定することを特徴とする。
【手続補正１０】
【補正対象書類名】明細書
【補正対象項目名】００１１
【補正方法】変更
【補正の内容】
【００１１】
第５の発明は、第４の発明において、、
前記移動変形対象画像特定手段は、前記描画オブジェクトの少なくとも一部の画像が前記第２入力領域に含まれているときに、当該描画オブジェクトの全部の画像を前記移動変形対象画像として特定することを特徴とする。
【手続補正１１】
【補正対象書類名】明細書
【補正対象項目名】００１２
【補正方法】変更
【補正の内容】
【００１２】
第６の発明は、第４または第５の発明において、、
前記画像移動変形手段は、前記移動変形対象画像を前記描画部において所定の距離だけ左方向もしくは右方向に移動させる画像移動手段を含むことを特徴とする。
【手続補正１２】
【補正対象書類名】明細書
【補正対象項目名】００１３
【補正方法】変更
【補正の内容】
【００１３】
第７の発明は、第４から第６までのいずれかの発明において、、
前記画像移動変形手段は、前記移動変形対象画像を前記描画部において所定の割合だけ縮小させる画像縮小手段を含むことを特徴とする。
【手続補正１３】
【補正対象書類名】明細書
【補正対象項目名】００１４
【補正方法】変更
【補正の内容】
【００１４】
第８の発明は、第４から第７までのいずれかの発明において、、
前記画像移動変形手段は、前記移動変形対象画像の全部が前記第１入力領域に含まれるように、所定の規則に基づいて前記移動変形対象画像を移動もしくは変形させることを特徴とする。
【手続補正１４】
【補正対象書類名】明細書
【補正対象項目名】００１５
【補正方法】変更
【補正の内容】
【００１５】
第９の発明は、第３から第８までのいずれかの発明において、、
前記第２入力領域は、前記第１入力領域の右側にのみ設けられていることを特徴とする。
【手続補正１５】
【補正対象書類名】明細書
【補正対象項目名】００１６
【補正方法】変更
【補正の内容】
【００１６】
第１０の発明は、第３から第９までのいずれかの発明において、
前記第２入力領域の表示／非表示の切替を行う第２入力領域表示切替手段を更に備えることを特徴とする。
【手続補正１６】
【補正対象書類名】明細書
【補正対象項目名】００１７
【補正方法】変更
【補正の内容】
【００１７】
第１１の発明は、写真撮影遊戯方法であって、
所定の撮影領域における被写体である利用者を撮影する撮像ステップと、
前記撮像ステップで得られる撮影画像を所定の表示領域に表示する表示ステップと、
前記撮影画像の編集に関する操作であって前記利用者によって入力される編集操作を受付け、当該編集操作に基づいて合成画像を生成する画像編集ステップと、
前記画像編集ステップで生成された前記合成画像を出力する出力ステップと
を備え、
前記編集操作には、文字、図形、又は記号のうちの少なくともいずれか１つを含みひとまとまりの画像データを構成する描画オブジェクトを描く操作である描画操作が含まれ、
前記画像編集ステップには、前記描画オブジェクトが前記表示領域からはみ出すように前記描画操作が行われた場合に、当該描画オブジェクトのうち前記表示領域からはみ出している部分が前記表示領域に表示可能となるように当該描画オブジェクトの少なくとも一部を移動もしくは変形させることによって得られる画像を前記表示領域に表示する画像移動変形ステップが含まれていることを特徴とする。
【手続補正１７】
【補正対象書類名】明細書
【補正対象項目名】００１８
【補正方法】変更
【補正の内容】
【００１８】
上記第１の発明によれば、写真撮影遊戯装置には描画オブジェクトを移動もしくは変形させることのできる画像移動変形手段が設けられている。このため、落書き操作の際に表示領域外に描画が行われても、利用者は、表示領域外に描画された画像が表示領域内に含まれるように、画像に移動・変形を施すことができる。
【手続補正１８】
【補正対象書類名】明細書
【補正対象項目名】００１９
【補正方法】変更
【補正の内容】
【００１９】
上記第２の発明によれば、利用者に操作負担を課すことなく、描画オブジェクト全体が表示領域に含まれるよう、画像に移動・変形が施される。
【手続補正１９】
【補正対象書類名】明細書
【補正対象項目名】００２０
【補正方法】変更
【補正の内容】
【００２０】
上記第３の発明によれば、表示領域に関する描画操作を受け付ける第１入力領域に隣接して設けられた第２入力領域に対して描画操作が行われた場合に、利用者は、当該描画操作に係る画像が表示領域内に含まれるように、画像に移動・変形を施すことができる。
【手続補正２０】
【補正対象書類名】明細書
【補正対象項目名】００２１
【補正方法】変更
【補正の内容】
【００２１】
上記第４の発明によれば、利用者は、領域を指定することによって、移動変形対象画像を指定することができる。このため、一連の描画操作によって描画オブジェクトが描かれたときに、利用者は、当該描画オブジェクト全体の画像を移動変形対象画像として指定することもできるし、当該描画オブジェクトの一部の画像を移動変形対象画像として指定することもできる。